【手続補正書】
【提出日】平成22年3月25日(2010.3.25)
【手続補正１】
【補正対象書類名】明細書
【補正対象項目名】００１２
【補正方法】変更
【補正の内容】
【００１２】
本発明によれば、再生装置の能力にあった映像データと音声データが、それぞれ異なる再生装置用としてコンテンツ記録媒体内に記録されている場合においても、コンテンツ再生装置で再生することが可能となる。例えば、初めて使用するコンテンツ再生装置にコンテンツ記録媒体を挿入した場合においても、再生装置のビデオ能力とオーディオ能力を満たすならば、コンテンツの再符号化処理を行うことなく再生することが可能となり、再符号化処理の実施を削減する効果がある。
【手続補正２】
【補正対象書類名】明細書
【補正対象項目名】００１５
【補正方法】変更
【補正の内容】
【００１５】
本実施の形態１において用いるコンテンツ記録媒体１００を図１に示す。コンテンツ記録媒体１００は、後述するコンテンツ再生装置能力情報テーブル４００の情報を記録した再生装置能力情報管理領域１０１と、記録装置によって作成されたコンテンツを格納するコンテンツ記録領域１０２と、記録装置によって作成されたコンテンツ情報管理領域１０３を有している。
【手続補正３】
【補正対象書類名】明細書
【補正対象項目名】００１６
【補正方法】変更
【補正の内容】
【００１６】
本実施の形態１におけるコンテンツ再符号化装置２００を図２に示す。コンテンツ再符号化装置２００は、再生装置能力読み出し部２０１、ビデオ能力解析部２０２、オーディオ能力解析部２０３、番組コンテンツ記録部２０４、番組コンテンツ読み出し部２０５、コンテンツ分離部２０６、ビデオ再符号部２０７、オーディオ再符号部２０８、多重化部２０９、コンテンツ記録部２１０で構成されている。
【手続補正４】
【補正対象書類名】明細書
【補正対象項目名】００１７
【補正方法】変更
【補正の内容】
【００１７】
本実施の形態１におけるコンテンツ再生装置を図３に示す。コンテンツ再生装置は、コンテンツ能力読取り部３０１、再生コンテンツ判定部３０２、コンテンツ読み出し部３０３、ＴＳ分離部３０４、ビデオ復号部３０５、映像出力部３０６、オーディオ復号部３０７、音声出力部３０８で構成されている。
【手続補正５】
【補正対象書類名】明細書
【補正対象項目名】００１９
【補正方法】変更
【補正の内容】
【００１９】
コンテンツ再生装置３００にてコンテンツ記録媒体１００を挿入し、再生装置能力情報管理領域１０１にコンテンツ再生装置内のビデオ復号処理部のビデオ再生能力データ、ビデオ出力部の映像出力能力データ、オーディオ復号処理部のオーディオ再生能力データ、オーディオ出力部の音声出力能力データを含むコンテンツ再生装置能力情報テーブル４００を記録する。図４にコンテンツ再生装置能力情報テーブル４００の一例を示す。この再生装置能力情報管理領域１０１はユーザがアクセス可能な領域であってもよく、その場合にはユーザによって編集が可能である。
【手続補正６】
【補正対象書類名】明細書
【補正対象項目名】００２０
【補正方法】変更
【補正の内容】
【００２０】
次にコンテンツ再符号化装置２００にコンテンツ記録媒体１００を挿入する。再生装置能力読み出し部２０１では、コンテンツ記録媒体１００内の再生装置能力情報管理領域１０１に記録されているコンテンツ再生装置能力情報テーブル４００をユーザの指示に従って読み出す。
【手続補正７】
【補正対象書類名】明細書
【補正対象項目名】００２１
【補正方法】変更
【補正の内容】
【００２１】
ビデオ能力解析部２０２では、ユーザによって選択された一つ以上のコンテンツ再生装置能力情報テーブル４００から再生装置毎のビデオ再生能力データと映像出力能力データを抜き出し、再生に必要なビデオパラメータリスト５００を作成する。この時に、同定のパラメータが存在した場合には一つのパラメータに纏めておく。作成したビデオパラメータリスト５００には、ビデオデータを再符号処理する為のパラメータとＰＥＳ（Ｐａｃｋｅｔｉｚｅｄ  Ｅｌｅｍｅｎｔａｒｙ  Ｓｔｒｅａｍ）パケット変換時に必要なパケットのＩＤ（ＰＩＤ）を含んでいる。
【手続補正８】
【補正対象書類名】明細書
【補正対象項目名】００２２
【補正方法】変更
【補正の内容】
【００２２】
オーディオ能力解析部２０３では、ユーザによって選択された一つ以上のコンテンツ再生装置能力情報テーブル４００から再生装置毎のオーディオ再生能力データと音声出力能力データを抜き出し、再生に必要なオーディオパラメータリスト６００を作成する。この時に、同定のパラメータが存在した場合には一つのパラメータに纏めておく。作成したオーディオパラメータリスト６００には、オーディオデータを再符号処理する為のパラメータとＰＥＳパケット変換時に必要なＰＩＤを含んでいる。
【手続補正９】
【補正対象書類名】明細書
【補正対象項目名】００２５
【補正方法】変更
【補正の内容】
【００２５】
オーディオ再符号部２０８では、分離された音声データをオーディオパラメータリスト６００に従って再符号処理を行い、オーディオパラメータリスト６００内のＰＩＤに従ってＰＥＳパケット化を行うことで、複数の再符号化されたオーディオＰＥＳパケットを作成する。
【手続補正１０】
【補正対象書類名】明細書
【補正対象項目名】００３２
【補正方法】変更
【補正の内容】
【００３２】
ＴＳ分離部３０４では、読取ったトランスポート・ストリームから再生コンテンツ判定部３０２で判定したビデオＰＩＤとオーディオＰＩＤを使ってビデオＰＥＳパケットとオーディオＰＥＳパケットを抜き出す。
【手続補正１１】
【補正対象書類名】明細書
【補正対象項目名】００３７
【補正方法】変更
【補正の内容】
【００３７】
【図１】図１は本発明の実施の形態におけるコンテンツ記録媒体を示す図である。
【図２】図２は本発明の実施の形態におけるコンテンツ再符号化装置を示す図である。
【図３】図３は本発明の実施の形態におけるコンテンツ再生装置を示す図である。
【図４】図４は本発明の実施の形態におけるコンテンツ再生装置能力情報テーブルの一例を示す図である。
【図５】図５は本発明の実施の形態におけるビデオパラメータリストの一例を示す図である。
【図６】図６は本発明の実施の形態におけるオーディオパラメータリストの一例を示す図である。
【手続補正１２】
【補正対象書類名】明細書
【補正対象項目名】００３８
【補正方法】変更
【補正の内容】
【００３８】
１００    コンテンツ記録媒体
１０１    再生装置能力情報管理領域
１０２    コンテンツ記録領域
１０３    コンテンツ情報管理領域
２００    コンテンツ再符号化装置
２０１    再生装置能力読み出し部
２０２    ビデオ能力解析部
２０３    オーディオ能力解析部
２０４    番組コンテンツ記録部
２０５    番組コンテンツ読み出し部
２０６    コンテンツ分離部
２０７    ビデオ再符号部
２０８    オーディオ再符号部
２０９    多重化部
２１０    コンテンツ記録部
３００    コンテンツ再生装置
３０１    コンテンツ能力読取り部
３０２    再生コンテンツ判定部
３０３    コンテンツ読み出し部
３０４    ＴＳ分離部
３０５    ビデオ復号部
３０６    映像出力部
３０７    オーディオ復号部
３０８    音声出力部
４００    コンテンツ再生装置能力情報テーブル
５００    ビデオパラメータリスト
６００    オーディオパラメータリスト